(57)【特許請求の範囲】
【請求項１】
壁部に複数の出入口開口を有するとともに各出入口開口を夫々独立して開閉可能な複数のドアを有した部屋の当該ドアの施解錠を行うドアロックユニットにおいて、
各ドアに夫々設けられた係合部と、上記部屋の壁部側に設けられ該部屋の内部から上記ドアの係合部に対する操作を行う施解錠部とを備え、
該施解錠部を、上記各係合部に夫々対応して設けられ上記ドアの閉時に対応する係合部に係合する係合位置及び該係合部から係合を解除される解除位置の２位置に移動可能な複数の被係合部と、手動で操作され施錠位置及び解錠位置の２位置に移動させられる１つの操作部と、該操作部の操作に連動して作動させられ該操作部が施錠位置に位置させられたとき上記各被係合部を夫々同時に係合位置に移動させ該操作部が解錠位置に位置させられたとき上記各被係合部を夫々同時に解除位置に移動させる移動機構とを備えて構成し、
上記部屋は、４つの立壁により囲繞されて形成され、上記出入口開口は、隣接する一対の立壁にコーナ部を介して一対設けられ、上記ドアは、閉時にその一側縁が上記コーナ部側の出入口開口縁に対峙するように該出入口開口に夫々設けられ、
上記係合部を、上記各ドアの一側縁部に夫々設け、
上記施解錠部において、
上記コーナ部の上記ドアの係合部に対応した位置にケース体を設け、
上記被係合部を、一対設け、該各被係合部を、上記ケース体に、夫々、上記各係合部に対応させて、上記係合位置または解除位置に移動可能になるように回動可能に設け、且つ、係合位置でケース体から突出し解除位置でケース体内に没するように出没可能に設け、
上記ケース体に、上下に細長に延びるスリットを形成し、
上記操作部を、先端部側が上記ケース体のスリットを通して該ケース体内から突出し、基端部が上記ケース体に揺動可能に設けられ、上記スリットを通して上下動させることにより揺動させられて上記施錠位置または解錠位置に移動可能な操作レバーで構成し、
上記移動機構を、上記ケース体内に設け、該移動機構を、上記ケース体に回動可能に設けられるとともに上記操作レバーの基端部が固定されて該操作レバーの揺動により回動させられるピニオンギヤと、該ピニオンギヤに噛合し該ピニオンギヤの回動により進退動するラックギヤと、上記ケース体に設けられ上記ラックギヤを進退動可能にガイドするガイドレールと、上記ラックギヤ及び上記各被係合部間に夫々設けられ該ラックギヤの進退動により該各被係合部を回動させるリンク機構とを備えて構成したことを特徴とするドアロックユニット。
【請求項２】
壁部に複数の出入口開口を有するとともに各出入口開口を夫々独立して開閉可能な複数のドアを有した部屋の当該ドアの施解錠を行うドアロックユニットにおいて、
各ドアに夫々設けられた係合部と、上記部屋の壁部側に設けられ該部屋の内部から上記ドアの係合部に対する操作を行う施解錠部とを備え、
該施解錠部を、上記各係合部に夫々対応して設けられ上記ドアの閉時に対応する係合部に係合する係合位置及び該係合部から係合を解除される解除位置の２位置に移動可能な複数の被係合部と、手動で操作され施錠位置及び解錠位置の２位置に移動させられる１つの操作部と、該操作部の操作に連動して作動させられ該操作部が施錠位置に位置させられたとき上記各被係合部を夫々同時に係合位置に移動させ該操作部が解錠位置に位置させられたとき上記各被係合部を夫々同時に解除位置に移動させる移動機構とを備えて構成し、
上記部屋は、４つの立壁により囲繞されて形成され、上記出入口開口は、互いに対面する一対の立壁に一対設けられ、上記ドアは、閉時にその一側縁が上記出入口開口が形成されない何れか一方の立壁側の出入口開口縁に対峙するように該出入口開口に夫々設けられ、
上記係合部を、上記各ドアの一側縁部に夫々設け、
上記施解錠部において、
上記出入口開口が形成されない上記何れか一方の立壁にケース体を設け、
上記被係合部を、一対設け、該各被係合部を、上記ケース体に、夫々、上記各係合部に対応させて、上記係合位置または解除位置に移動可能になるように回動可能に設け、且つ、係合位置でケース体から突出し解除位置でケース体内に没するように出没可能に設け、
上記ケース体に、上下に細長に延びるスリットを形成し、
上記操作部を、先端部側が上記ケース体のスリットを通して該ケース体内から突出し、基端部が上記ケース体に揺動可能に設けられ、上記スリットを通して上下動させることにより揺動させられて上記施錠位置または解錠位置に移動可能な操作レバーで構成し、
上記移動機構を、上記ケース体内に設け、該移動機構を、上記各被係合部に対応して設けられるとともに上記操作レバーの揺動軸に連携し該操作レバーの揺動により回動させられる一対のピニオンギヤと、該各ピニオンギヤに夫々噛合し対応するピニオンギヤの回動により進退動する一対のラックギヤと、上記ケース体に設けられ上記各ラックギヤを夫々進退動可能にガイドする一対のガイドレールと、上記各ラックギヤ及び該各ラックギヤに対応する上記各被係合部間に夫々設けられ該ラックギヤの進退動により該被係合部を回動させる一対のリンク機構とを備えて構成したことを特徴とするドアロックユニット。
【請求項３】
上記部屋の外部から上記係合位置に位置させられた少なくとも何れか１つの被係合部の係合を非常時に強制的に解除する強制解除機構を備えたことを特徴とする請求項１または２記載のドアロックユニット。
【請求項４】
上記強制解除機構を、一端が上記ラックギヤに係止され他端が部屋の外に露出可能に設けられるとともに該一端側を部屋の外から引張することにより上記ラックギヤを移動させることが可能な索体で構成したことを特徴とする請求項３記載のドアロックユニット。
【請求項５】
壁部に複数の出入口開口を有するとともに各出入口開口を夫々独立して開閉可能な複数のドアを有し、当該ドアの施解錠を行うドアロックユニットを備えた部屋において、
上記ドアロックユニットを、上記請求項１乃至４何れかに記載のドアロックユニットで構成したことを特徴とする部屋。
【発明の詳細な説明】
【技術分野】
【０００１】
本発明は、建物に設けられる例えばトイレなどの部屋であって、壁部に夫々独立して開閉可能な複数のドアを有した部屋において、これらのドアの施解錠を行うドアロックユニット及びこれを用いた部屋に関する。
【背景技術】
【０００２】
従来、この種のドアロックユニットとしては、例えば、特開２０００−３２８８００号公報（特許文献１）に示されるものが知られている。これは、互いに対面する立壁に夫々ドアを設けた部屋（トイレ）の当該一対のドアの施解錠を行うドアロックユニットであり、入室者を検知する入室者検知器と、１つの扉を外側から開いた時に他の扉をロックした状態に保持するよう制御するとともに、入室者が退出するまで入室してきた扉以外の扉をロックした状態に制御する制御手段とを備えている。しかしながら、電気的制御によるので、電源の確保や配線等の煩雑さがあり、また、停電時などの信頼性に劣るという問題がある。
【０００３】
また、従来においては、これら電気制御によらない機械的なドアロックユニットの技術も知られており、例えば、特開平９−１９５５４７号公報（特許文献２）に掲載されているものがある。これは、異なる居室に夫々通じる２つの出入口が設けられたバスユニットのための技術であり、各出入口のバスユニット側に二つの出入口に共通のスライディングドアを設け、各出入口の居室側にはスイングドアを設け、一方の出入口からスライディングドアを他方の出入口側にスライドさせ、他方の出入口を閉塞してロックピンをロック孔に押し込むと、他方の出入口を閉塞された状態に保持するものである。
【０００４】
更に、従来においては、機械的なドアロックユニットの技術として、例えば、特開２００４−９２１３７号公報（特許文献３）に掲載されているものもある。これは、２方向に出入口を有する便所において、複数枚の縦スラットが連結されてなる湾曲自在な横引きシャッターを、２方向の出入口を同時に閉じることができるように両出入口間に連続して設け、この横引きシャッターを両方の出入口でそれぞれ施錠が可能になるようにしている。
【先行技術文献】
【特許文献】
【０００５】
【特許文献１】特開２０００−３２８８００号公報
【特許文献２】特開平９−１９５５４７号公報
【特許文献３】特開２００４−９２１３７号公報
【発明の概要】
【発明が解決しようとする課題】
【０００６】
ところで、上記従来の特許文献１（特開２０００−３２８８００号公報）記載の技術は、上述もしたように、電気的制御によるので、電源の確保や配線等の煩雑さがあり、また、停電時などの信頼性に劣る。
一方、特許文献１記載の技術のような問題は生じない上記従来の機械的なドアロック技術において、特許文献２（特開平９−１９５５４７号公報）記載の技術においては、一方の出入口からスライディングドアを他方の出入口側にスライドさせ、他方の出入口を閉塞してロックピンをロック孔に押し込み、他方の出入口を閉塞した状態に保持することはできるが、一方の出入口のスイングドアのロックができないので、この一方の出入口からの他人の侵入を防ぐことができないという問題がある。
【０００７】
また、上記従来の機械的なドアロック技術において、特許文献３（特開２００４−９２１３７号公報）記載の技術においては、複数枚の縦スラットが連結されてなる湾曲自在な横引きシャッターにより、２方向の出入口を同時に閉じることができるようにしているが、特別に横引きシャッターを作成し、また、これをスライドさせる特別なガイド部材を設けなければならないので、装置が大掛かりになってしまうという問題がある。また、既存に有る２つの出入口に夫々個別に設けたドアに適用することができない。
【０００８】
本発明は上記の問題点に鑑みて為されたもので、複数の出入口開口を夫々独立して開閉可能な複数のドアの施解錠を、比較的簡易な機械的な機構で行うことができるようにするとともに、同時に施解錠できるようにして、他人の侵入を阻止できるようにしたドアロックユニットを提供することを目的とする。
【課題を解決するための手段】
【０００９】
このような目的を達成するための本発明のドアロックユニットは、壁部に複数の出入口開口を有するとともに各出入口開口を夫々独立して開閉可能な複数のドアを有した部屋の当該ドアの施解錠を行うドアロックユニットにおいて、
各ドアに夫々設けられた係合部と、上記部屋の壁部側に設けられ該部屋の内部から上記ドアの係合部に対する操作を行う施解錠部とを備え、
該施解錠部を、上記各係合部に夫々対応して設けられ上記ドアの閉時に対応する係合部に係合する係合位置及び該係合部から係合を解除される解除位置の２位置に移動可能な複数の被係合部と、手動で操作され施錠位置及び解錠位置の２位置に移動させられる１つの操作部と、該操作部の操作に連動して作動させられ該操作部が施錠位置に位置させられたとき上記各被係合部を夫々同時に係合位置に移動させ該操作部が解錠位置に位置させられたとき上記各被係合部を夫々同時に解除位置に移動させる移動機構とを備えて構成している。
【００１０】
この構成において、このドアロックユニットを用いた部屋を使用するときは、操作部の解錠位置において、使用者は、何れかの出入口開口のドアを開け、この出入口開口から部屋内に入り、ドアを閉める。そして、操作部を施錠位置にする。この場合、被係合部が係合部に係合する係合位置に位置する。これにより、左右のドアが同時にロックされるので、部屋内に他人が侵入する事態を阻止できる。
また、部屋から退出するときは、操作部を解錠位置にする。この場合、被係合部の係合部に対する係合が解除されて解除位置に位置する。これにより、左右のドアが同時にロック解除されるので、使用者は何れのドアからも退出可能となる。
【００１１】
このように、本ドアロックユニットによれば、複数の出入口開口を夫々独立して開閉可能な複数のドアの施解錠を、比較的簡易な機械的な機構で行うことができるようになり、ドアを同時に施解錠できるようにして、何れかの出入口から自由に出入りできるとともに、施錠時には他人の侵入を確実に阻止できるようになる。
【００１２】
そして、必要に応じ、上記部屋の外部から上記係合位置に位置させられた少なくとも何れか１つの被係合部の係合を非常時に強制的に解除する強制解除機構を備えた構成としている。これにより、左右のドアのロック状態で、もし、万一、トイレ内で使用者が倒れるなどして、退出が不能になる場合には、トイレ外から、強制解除機構を操作すれば、係合位置に位置させられた被係合部の係合が強制的に解除される。そのため、左右のドアが同時にロック解除されるので、第三者が何れのドアからも入室できるようになることから、内部の使用者を退出させて助けることができる。
【００１３】
また、必要に応じ、上記施解錠部において、上記被係合部を、上記壁部に対して回動可能に設けられ回動させられて上記係合位置または解除位置に移動可能に形成し、上記操作部を、上記壁部に対して揺動可能に設けられ揺動させられて上記施錠位置または解錠位置に移動可能な操作レバーで構成し、上記移動機構を、上記操作レバーに連携して回動させられるピニオンギヤと、該ピニオンギヤに噛合し該ピニオンギヤの回動により進退動するラックギヤと、該ラックギヤ及び上記被係合部間に設けられ該ラックギヤの進退動により該被係合部を回動させるリンク機構とを備えて構成している。操作部を揺動可能な操作レバーで構成したので、操作が容易になるとともに、構造を簡単にすることができる。
【００１４】
より具体的には、上記部屋は、４つの立壁により囲繞されて形成され、上記出入口開口は、隣接する一対の立壁にコーナ部を介して一対設けられ、上記ドアは、閉時にその一側縁が上記コーナ部側の出入口開口縁に対峙するように該出入口開口に夫々設けられ、
上記係合部を、上記各ドアの一側縁部に夫々設け、
上記施解錠部において、
上記コーナ部の上記ドアの係合部に対応した位置にケース体を設け、
上記被係合部を、一対設け、該各被係合部を、上記ケース体に、夫々、上記各係合部に対応させて、上記係合位置または解除位置に移動可能になるように回動可能に設け、且つ、係合位置でケース体から突出し解除位置でケース体内に没するように出没可能に設け、
上記ケース体に、上下に細長に延びるスリットを形成し、
上記操作部を、先端部側が上記ケース体のスリットを通して該ケース体内から突出し、基端部が上記ケース体に揺動可能に設けられ、上記スリットを通して上下動させることにより揺動させられて上記施錠位置または解錠位置に移動可能な操作レバーで構成し、
上記移動機構を、上記ケース体内に設け、該移動機構を、上記ケース体に回動可能に設けられるとともに上記操作レバーの基端部が固定されて該操作レバーの揺動により回動させられるピニオンギヤと、該ピニオンギヤに噛合し該ピニオンギヤの回動により進退動するラックギヤと、上記ケース体に設けられ上記ラックギヤを進退動可能にガイドするガイドレールと、上記ラックギヤ及び上記各被係合部間に夫々設けられ該ラックギヤの進退動により該各被係合部を回動させるリンク機構とを備えて構成することができる。施解錠部を部屋のコーナ部に設けたので、より構造を簡易にすることができるとともに、操作レバーの操作性を向上させることができる。
【００１５】
また、上記部屋は、４つの立壁により囲繞されて形成され、上記出入口開口は、互いに対面する一対の立壁に一対設けられ、上記ドアは、閉時にその一側縁が上記出入口開口が形成されない何れか一方の立壁側の出入口開口縁に対峙するように該出入口開口に夫々設けられ、
上記係合部を、上記各ドアの一側縁部に夫々設け、
上記施解錠部において、
上記出入口開口が形成されない上記何れか一方の立壁にケース体を設け、
上記被係合部を、一対設け、該各被係合部を、上記ケース体に、夫々、上記各係合部に対応させて、上記係合位置または解除位置に移動可能になるように回動可能に設け、且つ、係合位置でケース体から突出し解除位置でケース体内に没するように出没可能に設け、
上記ケース体に、上下に細長に延びるスリットを形成し、
上記操作部を、先端部側が上記ケース体のスリットを通して該ケース体内から突出し、基端部が上記ケース体に揺動可能に設けられ、上記スリットを通して上下動させることにより揺動させられて上記施錠位置または解錠位置に移動可能な操作レバーで構成し、
上記移動機構を、上記ケース体内に設け、該移動機構を、上記各被係合部に対応して設けられるとともに上記操作レバーの揺動軸に連携し該操作レバーの揺動により回動させられる一対のピニオンギヤと、該各ピニオンギヤに夫々噛合し対応するピニオンギヤの回動により進退動する一対のラックギヤと、上記ケース体に設けられ上記各ラックギヤを夫々進退動可能にガイドする一対のガイドレールと、上記各ラックギヤ及び該各ラックギヤに対応する上記各被係合部間に夫々設けられ該ラックギヤの進退動により該被係合部を回動させる一対のリンク機構とを備えて構成することができる。互いに対面する一対の立壁にドアが設けられた部屋に対応することができる。
【００１６】
そして、必要に応じ、上記部屋の外部から上記係合位置に位置させられた被係合部の係合を非常時に強制的に解除する強制解除機構を備え、該強制解除機構を、一端が上記ラックギヤに係止され他端が部屋の外に露出可能に設けられるとともに該一端側を部屋の外から引張することにより上記ラックギヤを移動させることが可能な索体で構成している。索体を引っ張るだけで、解錠できるので、非常時の対応を確実に行うことができる。
【００１７】
また、上記目的を達成するための本発明の部屋は、壁部に複数の出入口開口を有するとともに各出入口開口を夫々独立して開閉可能な複数のドアを有し、当該ドアの施解錠を行うドアロックユニットを備えた部屋において、上記ドアロックユニットを、上記何れかに記載のドアロックユニットで構成している。上記と同様の作用，効果を奏する。
【発明の効果】
【００１８】
本発明によれば、複数の出入口開口を夫々独立して開閉可能な複数のドアの施解錠を、比較的簡易な機械的な機構で行うことができるとともに、同時に施解錠できるようにして、他人の侵入を阻止できるようになる。
【図面の簡単な説明】
【００１９】
【図１】本発明の第１の実施の形態に係るドアロックユニットをこれが設けられる部屋の例とともに示す平面図である。
【図２】本発明の第１の実施の形態に係るドアロックユニットをその解錠状態で示す部屋内部から見た斜視図である。
【図３】本発明の第１の実施の形態に係るドアロックユニットをその施錠状態で示す部屋内部から見た斜視図である。
【図４】本発明の第１の実施の形態に係るドアロックユニットの主要部を示す斜視図である。
【図５】本発明の第１の実施の形態に係るドアロックユニットにおいて、被係合部のケース体への取付け状態を係合部との関係で示す図である。
【図６】本発明の第１の実施の形態に係るドアロックユニットにおいて、係合部及びこれと連動する表示機構を示し、（ａ）は室外から見た図、（ｂ）は断面図である。
【図７】本発明の第１の実施の形態に係るドアロックユニットの施解錠部を示す横断面図である。
【図８】本発明の第１の実施の形態に係るドアロックユニットの作用を示し、（ａ）は解錠状態を示す図、（ｂ）は施錠状態を示す図である。
【図９】本発明の第２の実施の形態に係るドアロックユニットをこれが設けられる部屋の例とともに示す平面図である。
【図１０】本発明の第２の実施の形態に係るドアロックユニットの施解錠部を示し、（ａ）は平面図、（ｂ）は正面図である。
【図１１】本発明の第２の実施の形態に係るドアロックユニットの作用を示し、（ａ）は解錠状態を示す図、（ｂ）は施錠状態を示す図である。
【発明を実施するための形態】
【００２０】
以下、添付図面に基づいて、本発明の実施の形態に係るドアロックユニット及びこれが用いられる部屋について詳細に説明する。
図１乃至図８には、本発明の第一の実施の形態に係るドアロックユニットＳを示している。このドアロックユニットＳは、図１に示すように、壁部１に複数の出入口開口２を有するとともに各出入口開口２を夫々独立して開閉可能な複数のドアＤを有した部屋Ｒの当該ドアＤの施解錠を行うものである。ドアＤは、引き戸でも良く、開き戸でも良い。実施の形態では引き戸になっている。
【００２１】
具体的には、図１に示すように、部屋Ｒは、例えばトイレであり、４つの立壁３により囲繞されて形成され、出入口開口２は、隣接する一対の立壁３にコーナ部４を介して一対設けられ、ドアＤは、閉時にその一側縁がコーナ部４側の出入口開口縁に対峙するように、出入口開口２に夫々設けられている。
【００２２】
ドアロックユニットＳは、各ドアＤの一側縁部に夫々設けられた係合部１０と、部屋Ｒの壁部１側に設けられ、部屋Ｒの内部からドアＤの係合部１０に対する操作を行う施解錠部２０とを備えて構成されている。施解錠部２０は、コーナ部４のドアＤの係合部１０に対応した位置に設けられるケース体２１を備えている。ケース体２１には、各係合部１０に夫々対応して設けられドアＤの閉時に対応する係合部１０に係合する係合位置Ｘ（図５，図８（ｂ））及び係合部１０から係合を解除される解除位置Ｙ（図８（ａ））の２位置に移動可能なフック部２２ａを有した複数の回転ラッチ２２からなる被係合部２３が備えられている。被係合部２３は一対設けられ、各被係合部２３は、係合位置Ｘまたは解除位置Ｙに移動可能になるようにケース体２１に回動可能に設けられ、且つ、係合位置Ｘでケース体２１から突出し解除位置Ｙでケース体２１内に没するように出没可能にケース体２１に設けられている。
【００２３】
一方、係合部１０は、被係合部２３としての回転ラッチ２２のフック部２２ａが係合するラッチ受１１で構成されている。ラッチ受１１は、ドアＤの室内側に取り付けられ回転ラッチ２２のフック部２２ａが係合可能な開口縁１２ａを有した開口１２を備えドアＤの表面との間に空間を形成する盆状に形成されている。回転ラッチ２２のフック部２２ａは、係合時に開口１２からラッチ受１１内に入り込んで開口１２の開口縁１２ａに係合する。
【００２４】
また、ラッチ受１１が取り付けられる部位のドアＤには、トイレを使用中か否かを表示する表示機構３０が設けられている。図４乃至図６，図８に示すように、表示機構３０はドアＤに回転可能に貫通して設けられる回転軸３１と、回転軸３１の室外側の一端を覆うとともに表示孔３２が形成されたカバー３３と、ラッチ受１１内において回転軸３１の室内側の他端に固定され、回転ラッチ２２のフック部２２ａの非係合時に定常位置Ｆａにあり、係合時にフック部２２ａの先端に押されて回動して傾斜位置Ｆｂに位置させられる略半円盤状の回転錘３４と、カバー３３内であって回転軸３１の他端に固定されカバー３３の表示孔３２から非使用中または使用中を示す表示板３５とを備えて構成されている。表示板３５の表面には、図６に示すように、回転錘３４の定常位置Ｆａにおいて表示孔３２からに非使用中を示す例えば青色の第１着色部３６と、回転錘３４の傾斜位置Ｆｂにおいて表示孔３２からに使用中を示す第１着色部３６とは異なる色の例えば赤色の第２着色部３７とが付されている。
【００２５】
また、ケース体２１には、手動で操作され施錠位置Ｋａ及び解錠位置Ｋｂの２位置に移動させられる１つの操作部が設けられている。ケース体２１には、上下に細長に延びるスリットが形成されており、操作部は、先端部側がケース体２１のスリットを通してケース体２１内から突出し、基端部がケース体２１に揺動可能に設けられ、スリットを通して上下動させることにより揺動させられて施錠位置Ｋａまたは解錠位置Ｋｂに移動可能な操作レバーＬで構成されている。
【００２６】
また、ケース体２１には、この操作レバーＬの操作に連動して作動させられ、操作レバーＬが施錠位置Ｋａに位置させられたとき、各被係合部２３を夫々同時に係合位置Ｘに移動させ、操作レバーＬが解錠位置Ｋｂに位置させられたとき、各被係合部２３を夫々同時に解除位置Ｙに移動させる移動機構４０が備えられている。
【００２７】
詳しくは、移動機構４０は、図４及び図８に示すように、ケース体２１に回動可能に設けられるとともに、操作レバーＬの基端部が固定されて操作レバーＬの揺動により回動させられるピニオンギヤ４１と、ピニオンギヤ４１に噛合しピニオンギヤ４１の回動により進退動するラックギヤ４２と、ケース体２１に設けられラックギヤ４２を進退動可能にガイドするガイドレール４３と、ラックギヤ４２及び各被係合部２３間に夫々設けられラックギヤ４２の進退動により各被係合部２３を回動させるリンク機構４４とを備えて構成されている。
【００２８】
また、このドアロックユニットＳには、部屋Ｒの外部から係合位置Ｘに位置させられた被係合部２３の係合を非常時に強制的に解除する強制解除機構５０が設けられている。この強制解除機構５０は、一端がラックギヤ４２に係止され他端が部屋Ｒの外に露出可能に設けられるとともに、一端側を部屋Ｒの外から引張することによりラックギヤ４２を移動させることが可能なワイヤからなる索体５１で構成されている。
【００２９】
従って、この第１の実施の形態に係るドアロックユニットＳを用いたトイレ（部屋Ｒ）を使用するときは、図２及び図８（ａ）に示すように、操作レバーＬの解錠位置Ｋｂにおいて、使用者は、何れかの出入口開口２のドアＤを開け、この出入口開口２からトイレ内に入る。この状態で、図１及び図３に示すように、ドアＤを閉める。そして、図３及び図８（ｂ）に示すように、操作レバーＬを下げて施錠位置Ｋａにする。この場合、被係合部２３が係合部１０に係合する係合位置Ｘに位置する。これにより、左右のドアＤが同時にロックされるので、他人が侵入する事態を阻止できる。
【００３０】
トイレの使用が終わって退出するときは、図２及び図８（ａ）に示すように、操作レバーＬを上げて解錠位置Ｋｂにする。この場合、被係合部２３の係合部１０に対する係合が解除されて解除位置Ｙに位置する。これにより、左右のドアＤが同時にロック解除されるので、使用者は何れのドアＤからも退出可能となる。図２に示すように、出たいドアＤを開けて退出する。
【００３１】
また、左右のドアＤのロック状態で、もし、万一、トイレ内で使用者が倒れるなどして、退出が不能になる場合には、トイレ外から、強制解除機構５０の索体５１（ワイヤ）を引っ張る。これにより、ラックギヤ４２が移動させられ、係合位置Ｘに位置させられた被係合部２３の係合が強制的に解除される。そのため、左右のドアＤが同時にロック解除されるので、第三者が何れのドアＤからも入室できるようになることから、内部の使用者を退出させて助けることができる。
【００３２】
このように、本ドアロックユニットＳによれば、複数の出入口開口２を夫々独立して開閉可能な複数のドアＤの施解錠を、機械的な機構で行うことができるようになり、ドアＤを同時に施解錠できるようにして、何れかの出入口から自由に出入りできるとともに、施錠時には他人の侵入を確実に阻止できるようになる。
【００３３】
次に、図９乃至図１１に示す本発明の第２の実施の形態に係るドアロックユニットＳについて説明する。このドアロックユニットＳは、図９に示すように、壁部１に複数の出入口開口２を有するとともに各出入口開口２を夫々独立して開閉可能な複数のドアＤを有した部屋Ｒの当該ドアＤの施解錠を行うものである。ドアＤは、引き戸でも良く、開き戸でも良い。実施の形態では引き戸になっている。
【００３４】
具体的には、図９に示すように、このドアロックユニットＳが用いられる部屋Ｒは、例えばトイレであり、４つの立壁３により囲繞されて形成され、出入口開口２は、互いに対面する一対の立壁３に一対設けられ、ドアＤは、閉時にその一側縁が、出入口開口２が形成されない何れか一方の立壁３（Ａ）側の出入口開口縁に対峙するように、出入口開口２に夫々設けられている。そして、係合部１０は、各ドアＤの一側縁部に夫々設けられる。
【００３５】
ドアロックユニットＳは、各ドアＤの一側縁部に夫々設けられた係合部１０と、部屋Ｒの壁部１側に設けられ、部屋Ｒの内部からドアＤの係合部１０に対する操作を行う施解錠部２０とを備えて構成されている。施解錠部２０は、出入口開口２が形成されない何れか一方の立壁３に設けられるケース体２１を備えている。このケース体２１には、各係合部１０に夫々対応して設けられドアＤの閉時に対応する係合部１０に係合する係合位置Ｘ及び係合部１０から係合を解除される解除位置Ｙの２位置に移動可能な回転ラッチ２２からなる被係合部２３が備えられている。被係合部２３は、係合位置Ｘまたは解除位置Ｙに移動可能になるようにケース体２１に回動可能に設けられ、且つ、係合位置Ｘでケース体２１から突出し解除位置Ｙでケース体２１内に没するように出没可能にケース体２１に設けられている。
【００３６】
一方、係合部１０は、被係合部２３としての回転ラッチ２２のフック部２２ａが係合する開口１２の開口縁１２ａを有した上記と同様のラッチ受１１で構成されている。また、ラッチ受１１が取り付けられる部位のドアＤには、トイレを使用中か否かを表示する上記と同様の表示機構３０が設けられている。
【００３７】
また、ケース体２１には、手動で操作され施錠位置Ｋａ及び解錠位置Ｋｂの２位置に移動させられる１つの操作部が設けられている。ケース体２１には、上下に細長に延びるスリットが形成されており、操作部は、先端部側がケース体２１のスリットを通してケース体２１内から突出し、基端部がケース体２１に揺動可能に設けられ、スリットを通して上下動させることにより揺動させられて施錠位置Ｋａまたは解錠位置Ｋｂに移動可能な操作レバーＬで構成されている。
【００３８】
更に、ケース体２１には、この操作レバーＬの操作に連動して作動させられ、操作レバーＬが施錠位置Ｋａに位置させられたとき、各被係合部２３を夫々同時に係合位置Ｘに移動させ、操作レバーＬが解錠位置Ｋｂに位置させられたとき、各被係合部２３を夫々同時に解除位置Ｙに移動させる移動機構４０が備えられている。
【００３９】
詳しくは、移動機構４０は、ケース体２１内に設けられている。この移動機構４０は、各被係合部２３に対応して、操作レバーＬの揺動軸４５の両端部に夫々設けられて操作レバーＬに連携し、操作レバーＬの揺動により回動させられる一対のピニオンギヤ４１を備えている。また、移動機構４０は、各ピニオンギヤ４１に夫々噛合し対応するピニオンギヤ４１の回動により進退動する一対のラックギヤ４２と、ケース体２１に設けられ上記各ラックギヤ４２を夫々進退動可能にガイドする一対のガイドレール４３と、各ラックギヤ４２及び該各ラックギヤ４２に対応する各被係合部２３間に夫々設けられ、ラックギヤ４２の進退動により被係合部２３を回動させる一対のリンク機構４４とを備えて構成されている。
【００４０】
また、このドアロックユニットＳには、部屋Ｒの外部から係合位置Ｘに位置させられた被係合部２３の係合を非常時に強制的に解除する強制解除機構５０が設けられている。この強制解除機構５０は、一端がラックギヤ４２に係止され他端が部屋Ｒの外に露出可能に設けられるとともに、一端側を部屋Ｒの外から引張することによりラックギヤ４２を移動させることが可能なワイヤからなる索体５１で構成されている。
【００４１】
従って、この第２の実施の形態に係るドアロックユニットＳを用いたトイレ（部屋Ｒ）を使用するときは、図１１（ａ）に示すように、操作レバーＬの解錠位置Ｋｂにおいて、使用者は、何れかの出入口開口２のドアＤを開け、この出入口開口２からトイレ内に入り、この状態で、ドアＤを閉める。そして、図１１（ｂ）に示すように、操作レバーＬを下げて施錠位置Ｋａにする。この場合、被係合部２３が係合部１０に係合する係合位置Ｘに位置する。これにより、左右のドアＤが同時にロックされるので、他人が侵入する事態を阻止できる。
【００４２】
トイレの使用が終わって退出するときは、図１１（ａ）に示すように、操作レバーＬを上げて解錠位置Ｋｂにする。この場合、被係合部２３の係合部１０に対する係合が解除されて解除位置Ｙに位置する。これにより、左右のドアＤが同時にロック解除されるので、使用者は何れのドアＤからも退出可能となる。
【００４３】
また、左右のドアＤのロック状態で、もし、万一、トイレ内で使用者が倒れるなどして、退出が不能になる場合には、トイレ外から、強制解除機構５０の索体５１（ワイヤ）を引っ張る。これにより、ラックギヤ４２が移動させられ、係合位置Ｘに位置させられた被係合部２３の係合が強制的に解除される。そのため、左右のドアＤが同時にロック解除されるので、第三者が何れのドアＤからも入室できるようになることから、内部の使用者を退出させて助けることができる。
【００４４】
このように、本ドアロックユニットＳによれば、上記第１の実施の形態と同様の作用，効果を奏する。即ち、複数の出入口開口２を夫々独立して開閉可能な複数のドアＤの施解錠を、機械的な機構で行うことができるようになり、ドアＤを同時に施解錠できるようにして、何れかの出入口から自由に出入りできるとともに、施錠時には他人の侵入を確実に阻止できるようになる。
【００４５】
尚、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４６】
Ｓ  ドアロックユニット
Ｒ  部屋
１  壁部
２  出入口開口
Ｄ  ドア
３  立壁
４  コーナ部
１０  係合部
１１  ラッチ受
１２  開口
１２ａ  開口縁
２０  施解錠部
２１  ケース体
Ｘ  係合位置
Ｙ  解除位置
２２  回転ラッチ
２２ａ  フック部
２３  被係合部
３０  表示機構
Ｌ  操作レバー（操作部）
Ｋａ  施錠位置
Ｋｂ  解錠位置
４０  移動機構
４１  ピニオンギヤ
４２  ラックギヤ
４３  ガイドレール
４４  リンク機構
４５  揺動軸
【図１】
0006509750.tif 000002
【図２】
0006509750.tif 000003
【図３】
0006509750.tif 000004
【図４】
0006509750.tif 000005
【図５】
0006509750.tif 000006
【図６】
0006509750.tif 000007
【図７】
0006509750.tif 000008
【図８】
0006509750.tif 000009
【図９】
0006509750.tif 000010
【図１０】
0006509750.tif 000011
【図１１】
0006509750.tif 000012